(57)【要約】【課題】  例えばエアーコンプレッサ等から供給される圧縮空気をエアーツールへ供給する際に好適で、圧縮空気中の水分を簡単な構成によって能率良く高精度に除去するとともに、その下流側に一または複数のエアークリーナを配置し、清浄で乾燥状態の圧縮空気をエアーツールへ供給し、また使用によって各エアークリーナの機能が低下した際、エアークリーナエレメントを簡便に交換可能にして所期の機能を速やかに回復し、そのメンテナンス作業を簡便に行なえる圧縮空気の気液分離装置を提供すること。【解決手段】  圧縮空気の供給管路にエアードライヤ５を配置する、  清浄で乾燥した圧縮空気をエアーツール７へ供給可能にした圧縮空気の気液分離装置であること。  前記エアードライヤ５より上流側の近接位置に凝結器４を配置したこと。  【選択図】図１
2019000832.tif 000002
【特許請求の範囲】
【請求項１】
圧縮空気の供給管路にエアードライヤを配置し、清浄で乾燥した圧縮空気をエア−ツールへ供給可能にした圧縮空気の気液分離装置において、前記エアードライヤより上流側の近接位置に凝結器を配置したことを特徴とする圧縮空気の気液分離装置。
【請求項２】
前記凝結器は、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝結シリンダと、前記筒状容器の外側に空隙部を介して前記ヘッドカバーに上端部を連結した中空有底の筒状の容器カバーとを備えた請求項１記載の圧縮空気の気液分離装置。
【請求項３】
前記凝結器の容器カバーに前記空隙部に連通する複数の開口部を形成した請求項２記載の圧縮空気の気液分離装置。
【請求項４】
前記凝結器のインレットから圧縮空気を筒状容器と凝結シリンダとの間に導入し、該圧縮空気を凝結シリンダ内を上動して圧縮空気の水分を凝結し、筒状容器の底部にドレンを貯留可能にするとともに、前記圧縮空気をアウトレットへ移動可能にした請求項２記載の圧縮空気の気液分離装置。
【請求項５】
前記エアードライヤは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝縮シリンダと、該凝縮シリンダの上部に配置した複数の集気シリンダと、該集気シリンダ内に形成しアウトレットに連通可能に形成した小孔状の貫通孔とを備え、前記筒状容器の外側に空隙部を介して前記ヘッドカバーに上端部を連結した中空有底の筒状の容器カバーとを備えた請求項１記載の圧縮空気の気液分離装置。
【請求項６】
前記エアードライヤのインレットから圧縮空気を筒状容器と凝縮シリンダとの間に導入し、該圧縮空気を集気シリンダ内を上動し、集気シリンダ内の貫通孔を移動して、圧縮空気の水分を凝結し、筒状容器の底部にドレンを貯留可能にするとともに、前記圧縮空気をアウトレットへ移動可能にした請求項５記載の圧縮空気の気液分離装置。
【請求項７】
前記エアードライヤの容器カバ−に前記空隙部に連通する複数の開口部を形成した請求項５記載の圧縮空気の気液分離装置。
【請求項８】
前記凝結器とエアードライヤのアウトレットとインレットを接続導管を介して連結し、エアードライヤのアウトレットをエアーツールに連通可能に配置した請求項５記載の圧縮空気の気液分離装置。
【請求項９】
前記凝結器とエアードライヤの上端部を平坦に形成し、該平坦面に断面Ｌ字形またはＵ字形の連結片を固定し、凝結器とエアードライヤを近接して連結するとともに、前記連結片の屈曲片を壁面に取付け可能にした請求項５記載の圧縮空気の気液分離装置。
【請求項１０】
前記凝結器とエアードライヤの筒状容器と容器カバーを互いに同一に形成した請求項２または５記載の圧縮空気の気液分離装置。
【請求項１１】
前記エアードライヤとエアーツールとの間に１または複数のエアークリーナを配置した請求項１記載の圧縮空気の気液分離装置。
【請求項１２】
前記エアークリーナは、互いに異質のエアークリーナエレメントを内蔵した請求項１１記載の圧縮空気の気液分離装置。
【請求項１３】
前記エアークリーナエレメントは、オイルミスト除去部材または乾燥・除湿部材若しくは不純物除去部材である請求項１１記載の圧縮空気の気液分離装置。
【請求項１４】
前記エアークリーナは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状のクリーナエレメント収納容器と、前記筒状容器の外側に空隙部を介して前記ヘッドカバーに上端部を連結した中空有底の筒状の容器カバーとを備えた請求項１１記載の圧縮空気の気液分離装置。
【請求項１５】
前記エアークリーナのインレットから圧縮空気を筒状容器とクリーナエレメント収納容器との間に導入し、該圧縮空気を通孔を介しクリーナエレメント収納容器内を上動し、圧縮空気をクリーナエレメントに接触させてオイルミストを捕集し、または水分を吸収して乾燥・除湿し、または不純物を吸着し、該圧縮空気をアウトレットへ移動可能にした請求項１４記載の圧縮空気の気液分離装置。
【請求項１６】
前記エアークリーナエレメントを通気性を有する収納袋に収容し、該収納袋をクリーナエレメント収納容器に収容した請求項１３または１４記載の圧縮空気の気液分離装置。
【請求項１７】
前記エアークリーナの容器カバーに前記空隙部に連通する複数の開口部を形成した請求項１４記載の圧縮空気の気液分離装置。
【請求項１８】
前記エアークリーナのヘッドカバーと筒状容器、および容器カバーを、前記凝結器またはエアードライヤと互いに同一に形成した請求項２または１４記載の圧縮空気の気液分離装置。
【請求項１９】
各エアークリーナのアウトレットとインレットを接続導管を介して近接して連結し、各エアークリーナをエアーツールに連通可能に配置した請求項１４記載の圧縮空気の気液分離装置。
【請求項２０】
各エアークリーナの上端部を平坦に形成し、該平坦面に前記凝結器の連結片と同形断面の連結片を固定し、各エアークリーナを前記凝結器およびエアードライヤと横一列に配置し、前記連結片の屈曲片を壁面に取付け可能にした請求項１４記載の圧縮空気の気液分離装置。
【請求項２１】
各エアークリーナの筒状容器とクリーナエレメント収納容器と収納袋を透明に構成し、容器カバーの開口部から前記収納容器内部のエアークリーナエレメントを視認可能にした請求項１４または１６記載の圧縮空気の気液分離装置。
【請求項２２】
各エアークリーナの筒状容器の底部にドレンを設け、貯留した圧縮空気の凝縮水を排出可能にした請求項１４記載の圧縮空気の気液分離装置。
【請求項２３】
管状または板状の支持部材を垂直または斜状に配置し、該支持部材に前記凝結器とエアードライヤと一または複数のエアークリーナを配置した請求項１または１１記載の圧縮空気の気液分離装置。
【請求項２４】
前記エアークリーナの一部または全部のクリーナエレメント収納容器内の下部で、かつ前記収納袋の直下位置に通気スペースを設け、該通気スペースに貫通孔を形成した複数の集気シリンダを配置した請求項１６記載の圧縮空気の気液分離装置。
【請求項２５】
前記支持部材を管状に形成して垂直に配置し、その上下端部をキャップを介して閉塞し、該支持部材を屋内外に設置可能にした請求項２３記載の圧縮空気の気液分離装置。
【請求項２６】
軸方向に分割した一対の支持ピースを接合して前記支持部材を構成した請求項２４記載の圧縮空気の気液分離装置。
【発明の詳細な説明】
【技術分野】
【０００１】
本発明は、例えばエアーコンプレッサ等から供給される圧縮空気をエアーツールへ供給する際に好適で、圧縮空気中の水分を簡単な構成によって能率良く高精度に除去するとともに、その下流側に一または複数のエアークリーナを配置し、清浄で乾燥状態の圧縮空気をエアーツールへ供給し、また使用によって各エアークリーナの機能が低下した際、エアークリーナエレメントを簡便に交換可能にして所期の機能を速やかに回復し、そのメンテナンス作業を簡便に行なえる圧縮空気の気液分離装置に関する。
【背景技術】
【０００２】
エアーコンプレッサから吐出された圧縮空気には水や油分が混在し、この圧縮空気をエアードライバーやインパクトレンチ、塗装ガン等のエアーツールへ供給すると、空気導管の内部が錆たり、エアーツール内部の構成部品が錆びて機能が低下し故障を起こす惧れがあるため、圧縮空気の吐出管路にエアードライヤである気液分離器を取付けて水分を除去し、乾燥した圧縮空気をエアーツールへ供給するようにしている。
【０００３】
前記気液分離器は、例えば中空円筒体の上部に上カバーを取付け、これらを締め付けリングで連結し、前記上カバーの両側の入口通路と出口通路に圧縮空気の導入管と排出管をねじ込み、その下部周面に円管状の上部周面をねじ込むとともに、上カバーの内側中央にネジ孔を形成し、このネジ孔にエア−案内子の上端部をねじ込み、その下部周面のネジ部に仕切管の上端部をねじ込んで取付ける。
前記仕切管の内側に略円筒状の複数の仕切り構造を上下に積み重ね、これを長尺のボルトを介してエアー案内子に連結する。前記仕切り構造は下部に凹部空間を形成し、上部に円錐形の凸部を突設し、この凸部に凹部空間に連通する透孔を形成し、該透孔を上下の仕切り構造間で左右に離間して配置する。
【０００４】
そして、前記入口通路から圧縮空気を導入し、これを中空円筒体とエアー案内子との間に導入し、エア−案内子の下方から最下位置の仕切り構造に導入し、その凹部空間から透孔へ移動して直上の仕切り構造へ導入し、その移動時に圧縮空気を移動壁面に衝突させて水分を凝結し、その水滴を凝集して水分を除去し除湿する。以降、前記動作を繰り返して上カバーから出口通路へ移動し、圧縮空気中の水分を分離するようにしていた（例えば、特許文献１参照）。
【０００５】
しかし、前記気液分離器は中空円筒体が長尺で、その内側の仕切管に複数の異形の仕切り構造を積み重ねて配置しているため、大形で部品点数が多く構成が複雑で製造が高価になり、また圧縮空気の移動経路が複雑で移動速度が減速され、壁面に対する衝突力が低下して水分の凝結が低下し、気液分離作用が概して低いという問題があった。
しかも、エアードライヤをエアーツールの連通路の適宜位置に配置しているため、気液分離効率が悪く、圧縮空気中の水分を十分に取り切れないままエアーツールへ供給せざるを得なかった。
【０００６】
上記問題を解決するものとして、空気入口と空気出口を設けたヘッダーに中空円筒状のケーシングを接続し、該ケーシングの中央に管状の円筒体を接続し、該円筒体の上部に変向器を接続し、その内部にテーパ孔状の拡幅部と、該拡幅部に連通する通路を形成し、前記円筒体の中間部周面に多数の空気孔を形成し、空気入口に導入した圧縮空気を変向器の受圧面に衝突させて水分を凝結し、その水滴を凝集して気液を分離するようにした圧縮空気除湿装置がある（例えば、特許文献２参照）。
【０００７】
しかし、前記圧縮空気除湿装置は、ケーシングの内側に円筒体を配置し、その上部に変向器を配置し、中間部に多数の空気孔を形成し、全体的にコンパクトに構成しているが部品点数が多く、高価になる等の問題があった。
【０００８】
また、他のエアードライヤとして、圧縮空気の吸入口と排風口を備えた蓋体に締付けリングを介して容器本体を接続し、該容器本体の内側に円管状の筒状仕切体を配置し、その内側に筒状の気液分離手段をねじ止め、該分離手段の上端部を蓋体の中央に接続し、前記気液分離手段は周面に複数の鍔部を突設し、その一の鍔部に内側の負圧中空室に連通する小孔を形成し、吸入口から導入した圧縮空気を容器本体と筒状仕切体との間に導き、筒状仕切体の内面と気液分離手段の鍔部に衝突させて圧縮空気中の水分を凝結し、その水滴を凝集して除去後、筒状仕切体の内側へ移動して小孔から負圧中空室へ導き、排風口から移動するようにしたものがある（例えば、特許文献３参照）。
【０００９】
しかし、前記エアードライヤは、長尺の容器本体を要する上に、筒状仕切体と異形の気液分離手段を要し、それらの構成が複雑で部品点数が多く、高価になるとともに、概して十分な気液分離作用が得られず、また圧縮空気中の水分や油分を除去することが難しかった。
【００１０】
前記問題を解決するものとして、入口と出口を備えた基部材に中空円筒状の第１および第２容器を対向して配置し、第１容器にオイルセパレ−タを配置し、第２容器に乾燥剤を収容し、前記オイルセパレータによって圧縮空気中の油滴や水滴を除去し、また前記乾燥剤によって圧縮空気中の水分を吸着し、更に第２容器に設けた乾燥器の内部にフィルタ装置を設け、オイルセパレータによって除去しきれないオイルミストや塵埃等の細かい粒子を除去するようにした圧縮空気乾燥装置がある（例えば、特許文献４参照）。
【００１１】
しかし、前記圧縮空気乾燥装置は、圧縮空気中の水分や油分を吸着し、オイルミストや塵埃等の細かい粒子を除去し得るが、大形かつ大重量で構造が複雑なため、高価で一般生産工場での設置や使用に馴染まない等の問題があった。
【００１２】
このような問題を解決する別の手段として、エアーコンプレッサ室と末端エアー機器を使用する工場を分離して配置し、エアーコンプレッサ室に配管した空気配管に、エアーコンプレッサとエアータンクと圧縮空気を乾燥するエアードライヤと、圧縮空気の異物を除去するエアーフィルタを介挿し、また前記工場にエアーコンプレッサ室の空気配管に連通する空気配管を配管し、該空気配管の上下流に分岐管を接続し、これらの分岐管にエアードライヤと末端エアー機器を接続し、末端エア−機器の直前にエアードライヤを配置し、エアードライヤを経由し長い空気配管を通過する間に温度変化の激しいことがあっても、また末端エアー機器周辺の室温がかなり低くても、エアードライヤにより一定の温度を確保することによって、末端エアー機器でのドレン水の発生を少なくするようにした圧縮空気の製造装置がある（例えば、特許文献５参照）。
【００１３】
しかし、前記製造装置は、末端エアー機器を使用する工場において、末端エアー機器でのドレン水の発生を少なくするために、空気配管に接続した分岐管に接続する末端エアー機器の直前にエアードライヤの配置を要するため、多数のエアードライヤの配置を要し、部品点数が増加するとともに構成が複雑化して高価になり、画一的な性能のエアードライヤや、単一のエアードライヤによる除湿作用には限界があり、乾燥した清浄な圧縮空気の供給に応じられない等の問題があった。
【００１４】
更に前記問題を解決するものとして、エアーコンプレッサの下流にエアードライヤを配置し、該エアードライヤの下流に除塵装置と中空糸エアードライヤとを配置し、中空糸エアードライヤによって圧縮空気を精密に乾燥し、これをエアーツールへ供給するようにした圧縮空気の製造装置がある（例えば、特許文献６参照）。
【００１５】
しかし、前記製造装置は、単一のエアードライヤによって圧縮空気の水分を除去しているため、水分を十分に除去することができず、これを下流の除塵装置や中空糸エアードライヤへ移動すると、除塵装置や中空糸エアードライヤの機能が低下ないし劣化し、それらの寿命を低下させるとともに、使用によって機能が低下ないし劣化した場合、それらの位置が区々なため、そのメンテナンスに手間が掛かる等の問題があった。
【先行技術文献】
【特許文献】
【００１６】
【特許文献１】特許第４７８９９６３号号公報
【特許文献２】特開平６−１７８９１０号公報
【特許文献３】特許第５４６７１８０号号公報
【特許文献４】実開昭６１−６４３２４号公報
【特許文献５】特開２００７−１３０６１８号公報
【特許文献６】特許第３３９０９６７号号公報
【発明の概要】
【発明が解決しようとする課題】
【００１７】
本発明はこのような問題を解決し、例えばエアーコンプレッサ等から供給される圧縮空気をエアーツールへ供給する際に好適で、圧縮空気中の水分を簡単な構成によって能率良く高精度に除去するとともに、その下流側に一または複数のエアークリーナを配置し、清浄で乾燥状態の圧縮空気をエアーツールへ供給し、また使用によって各エアークリーナの機能が低下した際、エアークリーナエレメントを簡便に交換可能にして所期の機能を速やかに回復し、そのメンテナンス作業を簡便に行なえる圧縮空気の気液分離装置を提供することを目的とする。
【課題を解決するための手段】
【００１８】
請求項１の発明は、圧縮空気の供給管路にエアードライヤを配置し、清浄で乾燥した圧縮空気をエアーツールへ供給可能にした圧縮空気の気液分離装置において、前記エアードライヤより上流側の近接位置に凝結器を配置し、圧縮空気中の水分を効率良く凝縮かつ凝結して除湿ないし乾燥するようにしている。
請求項２の発明は、凝結器は、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝結シリンダと、前記筒状容器の外側に空隙部を介して前記ヘッドカバーに上端部を連結した中空有底の筒状の容器カバーとを備え、従来のエアードライヤよりも簡単な構成にして圧縮空気の流路面積を拡大し、大量の圧縮空気を円滑に移動し含有水分を効率良く凝縮させて凝結作用を促し、圧縮空気から多量の凝縮水を除去し、効率良く凝縮かつ凝結して除湿ないし乾燥した圧縮空気を得られるとともに、筒状容器を容器カバ−で保護し、筒状容器の破損による破片の飛散を防止し、また外部からの機械的な攻撃に耐えられるようにしている
【００１９】
請求項３の発明は、凝結器の容器カバ−に前記空隙部に連通する複数の開口部を形成し、開口部から空気を流通させて内側の筒状容器の冷却を図り、筒状容器内における圧縮空気の凝縮ないし凝結を促進するようにしている。
請求項４の発明は、凝結器のインレットから圧縮空気を筒状容器と凝結シリンダとの間に導入し、該圧縮空気を凝結シリンダ内を上動させて水分を凝結し、これを筒状容器の底部に貯留可能にするとともに、除湿後の圧縮空気をアウトレットへ移動可能にして、筒状容器内に導入した圧縮空気を能率良く移動して水分の凝縮と凝結を促し、多量の凝縮水を能率良く捕集するとともに、除湿した圧縮空気を筒状容器の外部へ移動するようにしている。
【００２０】
請求項５の発明は、エアードライヤは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝縮シリンダと、該凝縮シリンダの上部に配置した複数の集気シリンダと、該集気シリンダ内に形成しアウトレットに連通可能に形成した小孔状の貫通孔とを備え、前記筒状容器の外側に空隙部を介して前記ヘッドカバーに上端部を連結した中空有底の筒状の容器カバーとを備え、従来のエアードライヤに比べ凝縮シリンダと集気シリンダを簡潔に構成し、凝結器で除湿された圧縮空気を円滑かつ速やかに移動させて残留水分を凝縮させ、圧縮空気を精密に除湿ないし乾燥させるようにするとともに、筒状容器を容器カバーで保護し、筒状容器の破損による破片の飛散を防止し、また外部からの機械的な攻撃に耐えられるようにしている。
【００２１】
請求項６の発明は、エアードライヤのインレットから圧縮空気を筒状容器と凝縮シリンダとの間に導入し、該圧縮空気を集気シリンダ内を上動し、集気シリンダ内の貫通孔を移動して、圧縮空気の水分を凝結し、筒状容器の底部にドレン水を貯留可能にするとともに、前記圧縮空気をアウトレットへ移動可能にし、筒状容器内に導入した圧縮空気を能率良く移動して水分の凝縮と凝結を促し、圧縮空気に残留する水分を凝縮して能率良く捕集するとともに、精密に除湿した圧縮空気を筒状容器の外部へ移動するようにしている。
請求項７の発明は、エアードライヤの容器カバーに前記空隙部に連通する複数の開口部を形成し、該開口部から空気を移動させて内側の筒状容器を冷却し、筒状容器内における気液分離作用を増進するようにしている。
【００２２】
請求項８の発明は、凝結器とエアードライヤのアウトレットとインレットを接続導管を介して連結し、エアードライヤのアウトレットをエアーツールに連通可能に配置し、凝結器で除湿した圧縮空気をエアードライヤへ導入して気液分離し、エアードライヤで更に除湿した圧縮空気を円滑に送り出すようにしている。
請求項９の発明は、凝結器とエアードライヤの上端部を平坦に形成し、該平坦面に断面Ｌ字形またはＵ字形の連結片を固定し、凝結器とエアードライヤを近接して連結するとともに、前記連結片の屈曲片を壁面に取付け可能にし、連結片を介し凝結器とエアードライヤを連結し、これらを壁面に安定して取付けるようにしている。
【００２３】
請求項１０の発明は、凝結器とエアードライヤの筒状容器と容器カバーを互いに同一に形成し、筒状容器の製作の合理化と互換性を図り、またそれらのメインテナンスの合理化を図るようにしている。
請求項１１の発明は、エアードライヤとエアーツールとの間に１または複数のエアークリーナを配置し、除湿した圧縮空気中の夾雑物を除去し、その清浄化と除湿ないし乾燥化を図るようにしている。
請求項１２の発明は、エアークリーナは、互いに異質のエアークリーナエレメントを内蔵し、圧縮空気中の種々の夾雑物を除去し、その清浄化と除湿ないし乾燥化を増進するようにしている。
【００２４】
請求項１３の発明は、エアークリーナエレメントは、オイルミスト除去部材または乾燥・除湿部材若しくは不純物除去部材で、圧縮空気中のオイルミストや湿気ないし水分、異物および溶存ガス等の不純物を除去するようにしている。
請求項１４の発明は、エアークリーナは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状のクリーナエレメント収納容器と、前記筒状容器の外側に空隙部を介して前記ヘッドカバーに上端部を連結した中空有底の筒状の容器カバーとを備え、圧縮空気を導入する筒状容器の内側にクリ−ナエレメント収納容器を配置し、圧縮空気中の夾雑物を除去するとともに、筒状容器を容器カバ−で保護し、筒状容器の破損による破片の飛散を防止するとともに、外部からの機械的な攻撃に耐えられるようにしている。
【００２５】
請求項１５の発明は、エアークリーナのインレットから圧縮空気を筒状容器とクリーナエレメント収納容器との間に導入し、該圧縮空気を通孔を介しクリーナエレメント収納容器内を上動し、圧縮空気をクリーナエレメントに接触させてオイルミストを捕集し、または水分を吸収して乾燥・除湿し、若しくは不純物を吸着し、該圧縮空気をアウトレットへ移動可能にし、圧縮空気中の種々の夾雑物を除去し、その清浄化を実現するようにしている。
請求項１６の発明は、エアークリーナエレメントを通気性を有する収納袋に収容し、該収納袋をクリーナエレメント収納容器に収容し、種々な状態のエアークリーナエレメントをクリーナエレメント収納容器に安定して収容するようにしている。
【００２６】
請求項１７の発明は、エアークリーナの容器カバーに前記空隙部に連通する複数の開口部を形成し、開口部から空気を流通させて内側の筒状容器の冷却を図り、筒状容器内における圧縮空気の気液分離作用を促進するようにしている。
請求項１８の発明は、エアークリーナのヘッドカバーと筒状容器、および容器カバーを、前記凝結器またはエアードライヤと互いに同一に形成し、それらの製作の合理化と互換性を図り、またそれらのメインテナンスの合理化を図るようにしている。
請求項１９の発明は、各エアークリーナのアウトレットとインレットを接続導管を介して近接して連結し、各エアークリーナをエアーツールに連通可能に配置し、各エアークリーナを移動して清浄化した圧縮空気をエアーツールへ円滑に送り出すようにしている。
【００２７】
請求項２０の発明は、各エアークリーナの上端部を平坦に形成し、該平坦面に前記凝結器の連結片と同形断面の連結片を固定し、各エアークリーナを近接して連結するとともに、各エアークリーナを横一列に配置し、また前記連結片の屈曲片を壁面に取付け可能にし、連結片を介し各エアークリーナを連結し、かつこれらを壁面に安定して取付けるようにしている。
請求項２１の発明は、各エアークリーナの筒状容器とクリ−ナエレメント収納容器と収納袋を透明に構成し、容器カバーの開口部から前記収納容器内部のエアークリーナエレメントを視認可能にし、各エアークリーナエレメントの使用による変状や機能低下を視認可能にし、その取替え時期やメンテナンス時期を確認可能にしている。
【００２８】
請求項２２の発明は、各エアークリーナの筒状容器の底部にドレンを設け、貯留した圧縮空気の凝縮水を排出可能にし、凝縮水の排出を可能にするとともに、その排出操作時における圧縮空気の噴出量の多少によって、エアークリーナエレメントの機能低下を確認し、その取替え時期やメンテナンス時期を予測可能にしている。
請求項２３の発明は、管状または板状の支持部材を垂直または斜状に配置し、該支持部材に前記凝結器とエアードライヤと一または複数のエアークリーナを配置し、凝結器とエアードライヤとエアークリーナの設置スペースのコンパクト化を図るようにしている。
請求項２４の発明は、エアークリーナの一部または全部のクリーナエレメント収納容器内の下部で、かつ収納袋の直下位置に通気スペースを設け、該通気スペースに貫通孔を形成した複数の集気シリンダを配置し、クリーナエレメント収納容器を移動する圧縮空気の水分ないし湿気を除去してクリーナエレメントを移動し、クリーナエレメントの湿気による機能低下を防止してクリーナ機能を維持し、その寿命の向上と長期に亘る使用を確保するようにしている。
【００２９】
請求項２５の発明は、支持部材を管状に形成して垂直に配置し、その上下端部をキャップを介して閉塞し、該支持部材を屋内外に設置可能にし、支持部材内に配置した凝結器とエアードライヤとエアークリーナを保護するとともに、前記キャップによって風雨の侵入を回避し、この種装置の屋内外における設置を実現可能にしている。
請求項２６の発明は、軸方向に分割した一対の支持ピースを接合して前記支持部材を構成し、支持部材に対し凝結器とエアードライヤとエアークリーナを容易かつ安定して設置し、その製作の容易化とメンテナンスの容易化を図るようにしている。
【発明の効果】
【００３０】
請求項１の発明は、エアードライヤより上流側の近接位置に凝結器を配置したから、圧縮空気中の水分を効率良く凝縮かつ凝結して除湿ないし乾燥することができる。
請求項２の発明は、凝結器は、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝結シリンダと、前記筒状容器の外側に空隙部を介して前記ヘッドカバーに上端部を連結した中空有底の筒状の容器カバーとを備えたから、従来のエアードライヤよりも簡単な構成で圧縮空気の流路面積を拡大し、大量の圧縮空気を円滑に移動し含有水分を効率良く凝縮させて凝結作用を促し、圧縮空気から多量の凝縮水を除去し、効率良く凝縮かつ凝結して除湿ないし乾燥した圧縮空気を得られるとともに、筒状容器を容器カバーで保護し、筒状容器の破損による破片の飛散を防止し、また外部からの機械的な攻撃に耐えられる効果がある。
【００３１】
請求項３の発明は、凝結器の容器カバーに前記空隙部に連通する複数の開口部を形成したから、開口部から空気を流通させて内側の筒状容器の冷却を図り、筒状容器内における圧縮空気の凝縮ないし凝結を促進することができる。
請求項４の発明は、凝結器のインレットから圧縮空気を筒状容器と凝結シリンダとの間に導入し、該圧縮空気を凝結シリンダ内を上動させて水分を凝結し、これを筒状容器の底部に貯留可能にするとともに、除湿後の圧縮空気をアウトレットへ移動可能にしたから、筒状容器内に導入した圧縮空気を能率良く移動して水分の凝縮と凝結を促し、多量の凝縮水を能率良く捕集するとともに、除湿した圧縮空気を筒状容器の外部へ移動することができる。
【００３２】
請求項５の発明は、エアードライヤは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝縮シリンダと、該凝縮シリンダの上部に配置した複数の集気シリンダと、該集気シリンダ内に形成しアウトレットに連通可能に形成した小孔状の貫通孔とを備え、前記筒状容器の外側に空隙部を介して前記ヘッドカバーに上端部を連結した中空有底の筒状の容器カバーとを備えたから、従来のエアードライヤに比べ凝縮シリンダと凝結シリンダを簡潔に構成し、凝結器で除湿された圧縮空気を円滑かつ速やかに移動させて残留水分を凝縮させ、圧縮空気を精密に除湿ないし乾燥させるようにするとともに、筒状容器を容器カバーで保護し、筒状容器の破損による破片の飛散を防止し、また外部からの機械的な攻撃に耐えられる効果がある。
【００３３】
請求項６の発明は、エアードライヤのインレットから圧縮空気を筒状容器と凝縮シリンダとの間に導入し、該圧縮空気を集気シリンダ内を上動し、集気シリンダ内の貫通孔を移動して、圧縮空気の水分を凝結し、筒状容器の底部にドレンを貯留可能にするとともに、前記圧縮空気をアウトレットへ移動可能にしたから、筒状容器内に導入した圧縮空気を能率良く移動して水分の凝縮と凝結を促し、圧縮空気に残留する水分を凝縮して能率良く捕集するとともに、精密に除湿した圧縮空気を筒状容器の外部へ移動することができる。
請求項７の発明は、エアードライヤの容器カバーに前記空隙部に連通する複数の開口部を形成したから、該開口部から空気を移動させて内側の筒状容器を冷却し、筒状容器内における気液分離作用を増進することができる。
【００３４】
請求項８の発明は、凝結器とエアードライヤのアウトレットとインレットを接続導管を介して連結し、エアードライヤのアウトレットをエアーツールに連通可能に配置したから、凝結器で除湿した圧縮空気をエアードライヤへ導入して気液分離し、エアードライヤで更に除湿した圧縮空気を円滑に送り出すことができる。
請求項９の発明は、凝結器とエアードライヤの上端部を平坦に形成し、該平坦面に断面Ｌ字形またはＵ字形の連結片を固定し、凝結器とエアードライヤを近接して連結するとともに、前記連結片の屈曲片を壁面に取付け可能にしたから、連結片を介し凝結器とエアードライヤを連結し、これらを壁面に安定して取付けることができる。
【００３５】
請求項１０の発明は、凝結器とエアードライヤの筒状容器と容器カバーを互いに同一に形成したから、筒状容器の製作の合理化と互換性を図り、またそれらのメンテナンスの合理化を図ることができる。
請求項１１の発明は、エアードライヤとエアーツールとの間に１または複数のエアークリーナを配置したから、除湿した圧縮空気中の夾雑物を除去し、その清浄化と除湿ないし乾燥化を図ることができる。
請求項１２の発明は、エアークリーナは、互いに異質のエアークリーナエレメントを内蔵したから、圧縮空気中の種々の夾雑物を除去し、その清浄化と除湿ないし乾燥化を増進することができる。
【００３６】
請求項１３の発明は、エアークリーナエレメントは、オイルミスト除去部材または乾燥・除湿部材若しくは不純物除去部材であるから、圧縮空気中のオイルミストや湿気ないし水分、異物および溶存ガス等の不純物を除去することができる。
請求項１４の発明は、エアークリーナは、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状のクリ−ナエレメント収納容器と、前記筒状容器の外側に空隙部を介して前記ヘッドカバーに上端部を連結した中空有底の筒状の容器カバーとを備えたから、圧縮空気を導入する筒状容器の内側にクリーナエレメント収納容器を配置し、圧縮空気中の夾雑物を除去するとともに、筒状容器を容器カバーで保護し、筒状容器の破損による破片の飛散を防止するとともに、外部からの機械的な攻撃に耐えられる効果がある。
【００３７】
請求項１５の発明は、エアークリーナのインレットから圧縮空気を筒状容器とクリーナエレメント収納容器との間に導入し、該圧縮空気を通孔を介しクリーナエレメント収納容器内を上動し、圧縮空気をクリーナエレメントに接触させてオイルミストを捕集し、または水分を吸収して乾燥・除湿し、または不純物を吸着し、該圧縮空気をアウトレットへ移動可能にしたから、圧縮空気中の種々の夾雑物を除去し、その清浄化を実現することができる。
請求項１６の発明は、エアークリーナエレメントを通気性を有する収納袋に収容し、該収納袋をクリーナエレメント収納容器に収容したから、種々な状態のエアークリーナエレメントをクリーナエレメント収納容器に安定して収容することができる。
【００３８】
請求項１７の発明は、エアークリーナの容器カバーに前記空隙部に連通する複数の開口部を形成したから、開口部から空気を流通させて内側の筒状容器の冷却を図り、筒状容器内における圧縮空気の気液分離作用を促進することができる。
請求項１８の発明は、エアークリーナのヘッドカバーと筒状容器、および容器カバーを、前記凝結器またはエアードライヤと互いに同一に形成したから、それらの製作の合理化と互換性を図り、またそれらのメンテナンスの合理化を図ることができる。
請求項１９の発明は、各エアークリーナのアウトレットとインレットを接続導管を介して近接して連結し、各エアークリーナをエア−ツールに連通可能に配置したから、各エアークリーナを移動して清浄化した圧縮空気をエア−ツールへ円滑に送り出すことができる
【００３９】
請求項２０の発明は、各エアークリーナの上端部を平坦に形成し、該平坦面に前記凝結器の連結片と同形断面の連結片を固定し、各エアークリーナを近接して連結するとともに、各エアークリーナを横一列に配置し、また前記連結片の屈曲片を壁面に取付け可能にしたから、連結片を介し各エアークリーナを連結し、かつこれらを壁面に安定して取付けることができる。
請求項２１の発明は、各エアークリーナの筒状容器とクリーナエレメント収納容器と収納袋を透明に構成し、容器カバーの開口部から前記収納容器内部のエアークリーナエレメントを視認可能にしたから、各エアークリーナエレメントの使用による変状や機能低下を視認可能にし、その取替え時期やメンテナンス時期を確認することができる。
【００４０】
請求項２２の発明は、各エアークリーナの筒状容器の底部にドレンを設け、貯留した圧縮空気の凝縮水を排出可能にしたから、凝縮水の排出を可能にするとともに、その排出操作時における圧縮空気の噴出量の多少によって、エアークリーナエレメントの機能低下を確認し、その取替え時期やメンテナンス時期を予測することができる。
請求項２３の発明は、管状または板状の支持部材を垂直または斜状に配置し、該支持部材に前記凝結器とエアードライヤと一または複数のエアークリーナを配置したから、凝結器とエアードライヤとエアークリーナの設置スペースのコンパクト化を図ることができる
請求項２４の発明は、エアークリーナの一部または全部のクリーナエレメント収納容器内の下部で、かつ収納袋の直下位置に通気スペースを設け、該通気スペースに貫通孔を形成した複数の集気シリンダを配置したから、クリーナエレメント収納容器を移動する圧縮空気の水分ないし湿気を除去してクリーナエレメントを移動し、クリーナエレメントの湿気による機能低下を防止してクリーナ機能を維持し、その寿命の向上と長期に亘る使用を確保することができる。
【００４１】
請求項２５の発明は、支持部材を管状に形成して垂直に配置し、その上下端部をキャップを介して閉塞し、該支持部材を屋内外に設置可能にしたから、支持部材内に配置した凝結器とエアードライヤとエアークリーナを保護するとともに、前記キャップによって風雨の侵入を回避し、この種装置の屋内外における設置を実現することができる。
請求項２６の発明は、軸方向に分割した一対の支持ピースを接合して前記支持部材を構成したから、支持部材に対し凝結器とエアードライヤとエアークリーナを容易かつ安定して設置し、その製作の容易化とメンテナンスの容易化を図ることができる。
【図面の簡単な説明】
【００４２】
【図１】本発明の第１の実施形態を示す正面図で、その凝結器とエアードライヤを示している。
【図２】図１の平面図を示している。
【図３】図１の底面図を示している。
【図４】本発明に適用した凝結器の右側面図を示している。
【図５】図１のＡ−Ａ線に沿う断面図である。
【００４３】
【図６】図４のＢ−Ｂ線に沿う断面図である。
【図７】図１のＣ−Ｃ線に沿う断面図である。
【図８】図１のＤ−Ｄ線に沿う断面図である。
【図９】本発明に適用したエアードライヤの右側面図を示している。
【図１０】図１のＥ−Ｅ線に沿う断面図である。
【００４４】
【図１１】図９のＦ−Ｆ線に沿う断面図である。
【図１２】図１１のＧ−Ｇ線に沿う断面図である。
【図１３】図１２のＨ−Ｈ線に沿う断面図である。
【図１４】本発明の第２の実施形態を示す正面図で、凝結器とエアードライヤと３個のエアークリーナを横一列に配置している。
【図１５】第２の実施形態に適用したエアークリーナを示す右側面図である。
【００４５】
【図１６】図１４の平面図で、凝結器を省略している。
【図１７】図１４の底面図で、凝結器を省略している。
【図１８】図１４のＪ−Ｊ線に沿う断面図で、凝結器を省略している。
【図１９】本発明の第３の実施形態の要部を示す断面図で、オイルミスト除去用のエアークリーナに適用した状態を示している。
【図２０】本発明の第４の実施形態を示す断面図で、凝結器とエアードライヤと３個のエアークリーナを管状の支持部材内部に配置している。
【発明を実施するための形態】
【００４６】
以下、本発明を生成した高温高圧の圧縮空気を除湿ないし乾燥し清浄してエアーツールへ供給する図示の実施形態について説明すると、図１乃至図１３において１はエアーコンプレッサ２で生成した圧縮空気を貯留するエアータンクで、その送出側の可及的に上流位置に圧縮空気の供給本線である幹線導管３を介して凝結器４を接続し、圧縮空気を最初に強力かつ効率良く気液分離し、その除湿空気を隣接する下流側のエアードライヤ５へ移送し、該ドライヤ５によって残存する水分を精密に気液分離して、送出側の幹線導管６を介しエアーツール７へ供給可能にしている。
この場合、凝結器４は、エアータンク１からの種々の設置状況や離隔距離を許容し、所期の気液分離効果を得られる。また、エアードライヤ５は凝結器４に近接して配置し、それらの離隔配置による圧縮空気の凝結を防止し得る。
【００４７】
図中、８は凝結器４とエアードライヤ５の上端部を連結する略Ｌ字形断面の鋼板製の連結片で、凝結器４とエアードライヤ５の上端面に載置し、その四隅にビス９をねじ込んで取付けられ、その屈曲片８ａの四隅に長孔５１が形成されている。
そして、前記長孔５１にビスを挿入し、これを凝結器４ないしエアードライヤ５に面する壁面５２にねじ込んで取付けている。図中、１０は凝結器４とエアードライヤ５の相対する後述のアウトレットとインレットを接続した接続導管で、前記幹線導管３と連通可能にされている。
【００４８】
前記凝結器４は、合成樹脂製のヘッドカバー１１と、該ヘッドカバー１１に上部を連結した中空有底の透明または不透明、実施形態では不透明の合成樹脂製の筒状容器１２と、該容器１２の外側に配置した合成樹脂製の筒状の容器カバー１３と、筒状容器１２の内側に配置した中空筒状の合成樹脂製の凝結シリンダ１４と、から構成されている。
【００４９】
前記ヘッドカバー１１は図２のように、上部を略八角柱状に形成され、その相対する一対の側壁にインレット１５とアウトレット１６を形成し、それらのネジ孔に前記幹線導管３，６を接続している。
前記ヘッドカバー１１の下端部に正方形板状のフランジ１１ａが突設され、このフランジ１１ａに容器カバー１３の上端部が接続されている。
【００５０】
前記ヘッドカバー１１のインレット１５の奥部に通路１７が形成され、またヘッドカバー１１の下部内周面にネジ部１８が形成され、該ネジ部１８に筒状容器１２の上端部がねじ込まれて接続されている。
前記筒状容器１２は、実施形態では透明な合成樹脂によって成形され、その底部は略半球面状に形成され、その底部に貯留したドレン水を自動的に排出可能なオートドレン１９が設置されている。
【００５１】
前記オートドレン１９は例えば常閉形に構成され、常時は後述のピストン弁が閉弁可能にされ、筒状容器１２内に凝縮水であるドレン水５３が所定水位以上溜まると、支軸２０に摺動可能に支持したフロート５４を上動させて前記排水弁を開弁し、前記ドレン水５３を排出可能にしている。
【００５２】
前記支軸２０の下部に大小異径のネジパイプ５６，５７が設けられ、このうち大径のネジパイプ５６が筒状容器１２の底部の外側に突出され、この突出部にナット２７がねじ込まれて、支軸２０を筒状容器１２に支持している。
また、小径のネジパイプ５７が容器カバー１３の底部に形成した通孔２８の直下に突出し、この突出部に排出管５８の一端がねじ込まれ、その他端が排出溜（図示略）に配管されている。
【００５３】
図中、５９はフロート５４の上端面に立設したＬ字形の支持金具で、その上部のピン孔にピン６０が摺動可能に挿入され、該ピン６０の一端が支軸２０の上端部を貫通して、フロート５４の上下変位を規制している。
前記支軸２０の上端内部に空気弁（図示略）がピン６０と同動可能に設けられ、該空気弁が支軸２０内の空気通路（図示略）を開閉可能にしている。前記空気弁は常時は閉弁されて空気通路を閉塞し、支軸２０の中間内部に流入した圧縮空気によってピストン弁（図示略）を閉塞し、ドレン水５３の排出を阻止している。
【００５４】
そして、ドレン水５３が所定量貯留し、フロート５４が上動した際に空気弁が開弁し、筒状容器１２内の圧縮空気を空気通路に導入し、支軸２０の中間内部に設けたピストン弁を押し下げて、ネジパイプ５６，５７に連通する排出孔（図示略）を開放し、ドレン水５３を排出可能にしている。
【００５５】
前記ヘッドカバー１１の中央下部に、アウトレット１６に連通するネジ孔２１が形成され、該ネジ孔２１に凝結シリンダ１４の上端部に突設した連結管２２のネジ部がねじ込まれている。
前記容器カバー１３は、筒状容器１２を内部に収容可能な中空有底の筒状の容器に構成され、その上端部に前記フランジ１１ａと同形の正方形板状のフランジ１３ａが突設され、その隅角部に形成したビス孔（図示略）にビス２３を挿入し、これを隣接するフランジ１１ａの隅角部に形成したビス孔（図示略）にねじ込んで連結している。
図中、２４は前記フランジ１３ａの上面に突設した位置決めピンで、前記フランジ１１ａの下端部に形成したピン孔に係合可能に配置されている。
【００５６】
前記容器カバー１３の周面の対向位置に複数の開口部２５が上下方向に配置され、内側の筒状容器１２を透視可能にしている。図中、２６は容器カバー１３と筒状容器１２との間に形成された空隙部で、筒状容器１２の周面に空気を接触可能にしている。
その他、図中、２７はオートドレン１９のネジパイプ５７にねじ込んだナットで、該ネジパイプ５７の上下位置を調整可能にされ、２８は容器カバー１３の底部に形成した通孔で、外気に開口させている。
【００５７】
前記エアードライヤ５は外観上、凝結器４と同様に構成され、該エアードライヤ５はヘッドカバー１１と同様のヘッドカバー２９と、該ヘッドカバー２９に上部を連結した筒状容器１２と同様の中空有底の透明または不透明、実施形態では不透明の合成樹脂製の筒状容器３０と、該容器３０の外側に配置した容器カバー１３と同様の合成樹脂製の筒状の容器カバー３１と、筒状容器３０の内側に配置した中空筒状の合成樹脂製の凝縮シリンダ３２と、から構成されている。
【００５８】
前記ヘッドカバー２９は図２のように、上部を略八角柱状に形成され、その相対する一対の側壁にインレット３３とアウトレット３４を形成し、それらのネジ孔に前記接続導管１０と幹線導管６を接続している。
前記ヘッドカバー２９の下端部に正方形板状のフランジ２９ａが突設され、このフランジ２９ａに容器カバー３１の上端部が接続されている。
【００５９】
前記ヘッドカバー２９のインレット３３の奥部に通路３５が形成され、またヘッドカバー２９の下部内周面にネジ部３６が形成され、該ネジ部３６に筒状容器３０の上端部がねじ込まれて接続されている。
前記筒状容器３０の底部は略半球面状に形成され、その底部にオートドレン３７が設置されている。
【００６０】
前記オートドレン３７は前記オートドレン１９と実質的に同一に構成され、該オートドレン３７は例えば常閉形に構成され、常時はピストン弁（図示略）が閉弁可能にされ、筒状容器３０内に凝縮水であるドレン水３８が所定水位以上溜まると、支軸６１に摺動可能に支持したフロート６２を上動して前記ピストン弁を開弁し、前記ドレン３８を排出可能にしている。
【００６１】
前記支軸６１の下部に大小異径のネジパイプ６３，６４が設けられ、このうち大径のネジパイプ６３が筒状容器３０の底部の外側に突出され、この突出部にナット６５がねじ込まれて、支軸６１を支持している。
また、小径のネジパイプ６４が容器カバー３１の底部に形成した通孔４６の直下に突出し、この突出部に排出管６７の一端がねじ込まれ、その他端が排出溜（図示略）に配管されている。
【００６２】
図中、６８はフロート６２の上端面に立設したＬ字形の支持金具で、その上部のピン孔にピン６９が摺動可能に挿入され、該ピン６９の一端が支軸６１の上端部を貫通して、フロート６２の上下変位を規制している。
前記支軸６１の上端内部に空気弁（図示略）がピン６９と同動可能に設けられ、該空気弁が支軸６１内の空気通路（図示略）を開閉可能にしている。前記空気弁は常時は閉弁されて空気通路を閉塞し、支軸６１の中間内部に流入した圧縮空気によってピストン弁（図示略）を閉塞し、ドレン水３８の排出を阻止している。
【００６３】
そして、ドレン水３８が所定量貯留し、フロート６２が上動した際に空気弁が開弁し、筒状容器３０内の圧縮空気を空気通路に導入し、支軸６１の中間内部に設けたピストン弁を押し下げて、ネジパイプ６３，６４に連通する排出孔（図示略）を開放し、ドレン水３８を排出可能にしている。
【００６４】
前記ヘッドカバー２９の中央下部に、アウトレット３４に連通するネジ孔３９が形成され、該ネジ孔３９に凝縮シリンダ３２の上端部に突設した連結管４０のネジ部がねじ込まれている。
前記容器カバー３１は、筒状容器３０を内部に収容可能な中空有底の筒状の容器に構成され、その上端部に前記フランジ１１ａと同形の方形板状のフランジ１３ａが突設され、その隅角部に形成したビス孔（図示略）にビス４１を挿入し、これを隣接するフランジ１３ａの隅角部に形成したビス孔（図示略）にねじ込んで連結している。
図中、４２は前記フランジ１３ａの上面に突設した位置決めピンで、前記フランジ２９ａの下端部に形成したピン孔に係合可能に配置されている。
【００６５】
前記容器カバー３１の周面の対向位置に複数の開口部４３が上下方向に配置され、内側の筒状容器３０を透視可能にしている。図中、４４は容器カバー３１と筒状容器３０との間に形成された空隙部で、筒状容器３０の周面に空気を接触可能にしている。
【００６６】
前記凝縮シリンダ３２の上部に、連結シリンダ４７を介して円板状の基板４８が設けられ、該基板４８の下面に複数の集気シリンダ４９が等角度位置に突設されている。
前記集気シリンダ４９の環状壁４９ａの内側に小径の貫通孔５０が形成され、該貫通孔５０を移動した圧縮空気を連結シリンダ４７内へ断熱膨張状態で噴出可能にされている。
【００６７】
このように構成した本発明の圧縮空気の気液分離装置は、エアータンク１とエアーツール７との間の、圧縮空気の供給本線である幹線導管３，６と接続導管１９との間に、凝結器４とエアードライヤ５を配置している。
したがって、圧縮空気の供給本線から分岐した分岐線毎にその最上流部にエアードライヤを配置する場合に比べて、分岐線ないし支線の配管を要せず、圧縮空気の配管およびその作業並びにそれらのメンテナンスを簡潔かつコンパクトに行なえ、これを安価かつ合理的に行なえる。
しかも、凝結器４はエアータンク１からの離隔距離を問わないから、設置位置や設置環境を拘束されずに済み、種々の使用に応じられる。
【００６８】
前記凝結器４とエアードライヤ５は外観上、同様に構成され、それらの構成はヘッドカバー１１と２９、筒状容器１２と３０、容器カバー１３と３１が実質的に同一に構成され、対応する構成部材の共用化を図れるから、これを合理的かつ安価に製作し得、またメンテナンスの容易化を図れる。
【００６９】
前記凝結器４を組み立てる場合は、ヘッドカバー１１の下部中央のネジ部２１に、集気シリンダ１４の連結管２２のネジ部をねじ込み、また筒状容器１２内の底部にオートドレン１９を配置し、そのネジパイプ５６を筒状容器１２の底部の通孔に挿入して外側に突出し、この突出部にナット２７をねじ込んで緊締し、オートドレン１９を筒状容器１２に固定する。
【００７０】
この後、ヘッドカバー１１の下部内周面のネジ部１８に筒状容器１２の上端部のネジ部をねじ込み、該筒状容器１２の外側に容器カバー１３を被着し、それらのフランジ１１ａとフランジ１３ａを接合し、かつそれらのピン孔にピン２４を挿入しビス孔にビス２３を挿入して、これを他方のビス孔にねじ込んで、これらを連結する。
【００７１】
一方、エアードライヤ５を組み立てる場合は、凝結器４の組み立てと略同様の要領で行なう。
すなわち、ヘッドカバー２９の下部中央のネジ部３９に、凝縮シリンダ３２の連結管４０のネジ部をねじ込み、また筒状容器３０内の底部にオートドレン３７を配置し、そのネジパイプ６３を筒状容器３０の底部の通孔に挿入して外側に突出し、この突出部にナット６５をねじ込んで緊締し、オートドレン３７を筒状容器３０に固定する。
【００７２】
この後、ヘッドカバー２９の下部内周面のネジ部３６に筒状容器３０の上端部のネジ部をねじ込み、該筒状容器３０の外側に容器カバー３１を被着し、それらのフランジ３１ａとフランジ２９ａを接合し、かつそれらのピン孔にピン４２を挿入して位置合わせし、それらのビス孔にビス４１を挿入し、これを他方のビス孔にねじ込んで、これらを連結する
【００７３】
こうして凝結器４とエアードライヤ５を組み立て後、それらのアウトレット１６とインレット３３を対向配置し、凝結器４のアウトレット１６に接続導管１０の一端のネジ部をねじ込み、この他端のネジ部をエアードライヤ５のインレット３３にねじ込み、凝結器４とエアードライヤ５とを接続導管１０で連結する。
この後、凝結器４とエアードライヤ５のヘッドカバー１１，２９の上端部の平坦面に連結片８を載置し、それらのビス孔にビス９を挿入してねじ込み、凝結器４とエアードライヤ５とを連結片８を介して連結する。
【００７４】
こうして凝結器４とエアードライヤ５を連結後、連結片８の屈曲片８ａを壁面５２に接合し、その長孔５１にビスを挿入し、これを壁面５２側のビス孔にねじ込んで緊締し、凝結器４とエアードライヤ５を壁面５２の同高位置に取付ける。
そして、幹線導管３の一端のネジ部を凝結器４のインレット１５にねじ込み、この他端のネジ部をエア−タンク１の接続ネジ部にねじ込み、これらを緊締する。
また、幹線導管６の一端のネジ部をエアードライヤ５のアウトレット３４にねじ込み、この他端のネジ部をエア−ツール７の接続ネジ部にねじ込み、これらを緊締する。
【００７５】
このように凝結器４とエアードライヤ５は複数の構成部材を共有するため、これらの組み立てを容易かつ速やかに行なえ、組み立て後、これらをエアータンク１とエアーツール７に組み込む場合も、幹線導管３，６の間に近接して配置すれば良い。
したがって、圧縮空気の供給本線から分岐した分岐線毎に、その最上流部にエアードライヤを配置する場合に比べて、分岐線ないし支線の配管を要せず、それらの配管およびその作業並びにそれらのメンテナンスを簡潔かつコンパクトに行なえ、しかも安価かつ合理的に行なえる。この状況は図１のようである。
【００７６】
こうして組み付けた凝結器４とエアードライヤ５にエアータンク１側から高圧の圧縮空気を送り込むと、圧縮空気は幹線導管３に導かれて凝結器４のインレット１５に導入され、その奥部の通路１７から筒状容器１２内に流入し、筒状容器１２の内面と凝結シリンダ１４の外面との間を移動し、凝結シリンダ１４の下方から内側へ移動して、凝結シリンダ１４の上部から連結管２２を移動してアウトレット１６へ送り出され、接続導管１０からアウトレット１６を経てエアードライヤ５へ移動する。
【００７７】
その際、圧縮空気は筒状容器１２と凝結シリンダ１４との狭小スペースに押し込まれて移動し、更に凝結シリンダ１４の上面に衝突してアウトレット１６へ移動する。
このため、圧縮空気中の水分が能率良く凝集して凝結し、その液滴が筒状容器１２内に流下する。この場合、圧縮空気は流路の上流側で高圧を維持し、これが比較的広い流路を移動するから、大きな流量を維持して多量に凝集し凝結する。
【００７８】
したがって、圧縮空気中の水分が効率良く除去されて除湿され、多量のドレン水５３が生成されて筒状容器１２の底部に貯留する。
そして、前記ドレン水５３が所定液面以上貯留すると、オートドレン１９のフロート５４が上動し、ピストン弁（図示略）を開弁して排出管５８に排出される。
【００７９】
こうして凝結器４で水分を効率良く除去された圧縮空気が、接続導管１０に導かれてエアードライヤ５のインレット３３へ移動し、その奥部の通路３５から筒状容器３０内に流入し、筒状容器３０の内面と凝結シリンダ３２の外面との間を移動して、凝結シリンダ３２の下方から内側へ流入する。
そして、前記圧縮空気は基板４８の上面に衝突し、集気シリンダ４９内の貫通孔５０を移動して上部の連結管４７へ流出し、圧縮空気中の水分が能率良く凝集して凝結し、その液滴が凝結シリンダ３２から筒状容器４３内に流下して、圧縮空気の除湿ないし乾燥が更に促され、アウトレット３４から幹線導管６を経てエアーツール７へ移動する。
【００８０】
したがって、除湿ないし乾燥した圧縮空気をエアーツール７へ供給し得るとともに、凝縮された多量のドレン水３８が筒状容器４３の底部に貯留する。
そして、前記ドレン水３８が所定液面以上貯留すると、オートドレン３７のフロート６２が上動し、ピストン弁（図示略）を開弁して排出管６７に排出される。
【００８１】
この場合、筒状容器１２，３０を不透明に構成し、内部を視認できないようにしているが、例えばこれを透明に構成すれば開口部２５，４３から内部を透視できるから、筒状容器１２，３０の内部状況を視認でき、ドレン水３８，５３の貯留状況や凝結シリンダ１４，３２の現状、およびオートドレン１９，３７の状況を確認できることとなる。
また、容器カバー１３，３１は、空隙部２６，４４を介して筒状容器１２，３０の外側に配置されているから、それらの間に空気を流通させて筒状容器１２，３０の冷却を図れ、気液分離作用を増進し得るとともに、筒状容器１２，３０の破損による破片の飛散を防止し、また外部からの機械的な攻撃に耐えられる。
【００８２】
図１４乃至図２０は本発明の他の実施形態を示し、前述の実施形態と対応する構成部分に同一の符号を用いている。
このうち、図１４乃至図１８は本発明の第２の実施形態を示し、この実施形態は前記エアードライヤ５の下流側の圧縮空気の流路に、圧縮空気の異物を除去し清浄し乾燥するための互いに異なる複数のエアークリーナ７０〜７２を近接して配置している。
実施形態では上流側のエアークリーナ７０にオイルミスト除去クリーナを配置し、その下流側のエアークリーナ７１に乾燥・除湿除去クリーナを配置し、その下流側のエアークリーナ７２に不純物除去クリーナを配置している。
【００８３】
前記エアークリーナ７０〜７２は、前記凝結器４またはエアードライヤ５と外観的に同様に構成され、これは前記ヘッドカバー１１と実質的に同一のヘッドカバー７３と、該カバー７３に上部を連結した前記筒状容器１２と実質的に同一の透明な筒状容器７４と、該容器７４の外側に配置した前記容器カバー１３と実質的に同一の容器カバー７５と、から構成され、これらの下端部には前記オートドレンの代わりに、簡単な構成の簡易ドレン７６を設けている。
【００８４】
前記ヘッドカバー７３の両側にインレット７７とアウトレット７８が設けられ、その下部中央にネジ孔７９が形成され、該ネジ孔７９に合成樹脂製の筒状のクリーナエレメント収納容器８０が、その連結管８１を介してねじ込まれて接続されている。
前記クリーナエレメント収納容器８０は透明の円筒状に形成され、その底部に複数の通孔８２が形成され、各収納容器８０に後述する各種のクリーナエレメントが収容されている。
【００８５】
前記クリーナエレメント収納容器８０の内部に、通気性を有する柔軟で透明な円筒状の収納袋８３が収容され、該収納袋８３に各種のクリーナエレメントが収容されている。
前記エレメントは、エアークリーナ７０の場合はオイルミスト除去部材８４として、微粒子状のナノ・カ−ボンを筒状若しくは円筒状にプレス成形したオイルミスト除去セグメントが収容され、収納袋８３内を移動する圧縮空気に含まれるオイルミストを捕集可能にしている。
【００８６】
また、エアークリーナ７１は乾燥・除湿部材８５として、粒子状の活性アルミナが収容され、収納袋８３内を移動する圧縮空気に含まれる水分または湿気を吸着可能にしている
更に、エアークリーナ７２は不純物除去部材８６として、多数の中空糸が収容され、収納袋８３内を移動する圧縮空気を中空糸の中心孔に移動させ、圧縮空気に含まれる水蒸気や溶存ガスを中空糸膜に吸着して除去可能にしている。
【００８７】
この他、図中、８６は各インレット７７とアウトレット７８を連結する前記接続導管１０と同様な接続導管、８７は容器カバー７５の底部に形成した前記通孔４６と同径の通孔、８８は簡易ドレン７６の螺軸にねじ込んだナットで、各筒状容器７４の底部に簡易ドレン７６の螺軸を立設可能にしている。
図中、８９は各容器カバー７５に形成した開口部で、前記開口部４３と同様に形成され、また各筒状容器７４と容器カバー７５との間に、前記空隙部２６，４４と同様な空隙部９０が形成されている。
【００８８】
前記連結片８はエアークリーナ７０〜７２の増設分、長尺に延設され、その板面に複数のビス孔が形成され、延設した屈曲片８ａに複数の長孔５１が形成されている。図中、９１は各インレット７７の奥部に形成した通路で、各筒状容器７４の内部上方に連通している。
【００８９】
このように構成した第２の実施形態では、凝結器４とエアードライヤ５で圧縮空気中の水分を大量かつ精密に除去後、この圧縮空気がエアークリーナ７０に送り込まれ、そのインレット７７から通路９１を経て筒状容器７４内に導入され、その下方へ移動する。
そして、前記圧縮空気はクリーナエレメント収納容器８０の下方へ移動後、その底部から通孔８２に導かれて前記収納容器８０内へ移動し、収納袋８３を通過して内部に収納されたクリーナエレメントであるオイルミスト除去部材８４の間を上動し、圧縮空気に含まれるオイルミストが捕集される。
この後、前記圧縮空気は連結管８１を上動してアウトレット７８へ移動し、接続導管８６を経てエアークリーナ７１へ送り込まれる。
【００９０】
前記圧縮空気はエアークリーナ７１のインレット７７から通路９１を経て筒状容器７４内に導入され、その下方へ移動する。
そして、前記圧縮空気はクリーナエレメント収納容器８０の下方へ移動後、その底部から通孔８２に導かれて前記収納容器８０内へ移動し、収納袋８３を通過して内部に収納されたクリーナエレメントである乾燥・除湿部材８５の間を上動し、圧縮空気に含まれる水分が除去される。
その後、前記圧縮空気は連結管８１を上動してアウトレット７８へ移動し、接続導管８６を経てエアークリーナ７２へ送り込まれる。
【００９１】
前記圧縮空気はエアークリーナ７２のインレット７７から通路９１を経て筒状容器７４内に導入され、その下方へ移動する。
そして、前記圧縮空気はクリーナエレメント収納容器８０の下方へ移動後、その底部から通孔８２に導かれて前記収納容器８０内へ移動し、収納袋８３を通過して内部に収納されたクリーナエレメントである不純物除去部材８６の中空糸の中心孔を上動して、圧縮空気に含まれる不純物や溶存ガスを除去される。
【００９２】
その後、前記圧縮空気は連結管８１を上動してアウトレット７８へ移動し、接続導管８６を経て空気幹線導管６へ送り出され、オイルミストを除去され、乾燥・除湿され、不純物を除去された清浄で乾燥した圧縮空気をエアーツール７へ供給する。したがって、エアーツール７の機能低下や故障の発生が抑制される。
この場合、圧縮空気が各エアークリーナ７０〜７２を移動する際、クリーナエレメント収納容器８０の底面に衝突し、通孔８２を通過し、前記収納容器８０の上面に衝突して、微量の水分が凝集し凝結して各筒状容器７４の底部に流下し貯留する。このため、各簡易ドレン７６を適時操作して前記ドレン水を外部へ排出する。
【００９３】
一方、エアークリーナ７０〜７２は使用によって、各クリーナエレメント８４〜８６にオイルミストや湿気ないし水分、不純物等が捕集され吸着されて、徐々にクリ−ナ機能が低下する。
この状況は各クリーナエレメント８４〜８６の変色、変状によって確認し得るが、この状況は透明なクリーナエレメント収納容器８０と、透明な筒状容器７４と、透明な収納袋８３によって、エアークリーナ７０〜７２の開口部８９から視認し得る。
また、前記状況は、エアークリーナ７０〜７２の各簡易ドレン７６を操作した際の、圧縮空気の排出量の多少や圧力等によっても確認し得る。
【００９４】
こうして、エアークリーナ７０〜７２の各クリーナエレメント８４〜８６の現状を確認し、クリーナエレメント８４〜８６の機能低下を確認後、凝結器４、エアードライヤ５、エアークリーナ７０〜７２に対する圧縮空気の供給を一旦停止し、対応するエアークリーナ７０〜７２を取外し、対応するクリーナエレメント８４〜８６を新規なものに交換して、この種装置のメンテナンスに対応する。
【００９５】
この場合のメンテナンス作業は、ビス４１を取外し、対応するエアークリーナ７０〜７２の容器カバー７５を取外し、その内側の筒状容器７４の螺着を解除して取外し、対応するクリーナエレメント収納容器８０を取外す。
そして、対応する新規なクリーナエレメント８４〜８６を収納袋８３に収納したクリーナエレメント収納容器８０を用意し、これを対応するヘッドカバー７３の下面のネジ孔７９にねじ込み、この外側に筒状容器７４と容器カバー７５を取付ける。
このようにして新規なクリーナエレメント８４〜８６の交換を簡便に行え、対応するエアークリーナ７０〜７２の機能を簡便に回復し得る。
【００９６】
更に、エアークリーナ７０〜７２の各筒状容器７４の外側に、空隙部９０を介して開口部８９を備えた容器カバー７５を取付け、それらの間に空気を流通させているから、筒状容器７４の冷却を図れ、各クリーナ７０〜７２における気液分離効果を増進できるとともに、筒状容器７４の破損による破片の飛散を防止し得、また外部からの機械的な攻撃に耐えられる。
【００９７】
図１９は本発明の第３の実施形態の要部を示す断面図で、前記エアークリーナ７０〜７２の一部または全部に適用している。
このうち、図１９はその一部のエアークリーナ７０に適用し、そのクリーナエレメント収納容器８０内の下部で収納袋８３の直下に、通孔８２に連通する通気スペース９６を設け、該スペース９６に前記複数の集気シリンダ４９を配置し、該シリンダ４９に貫通孔５０を形成している。
そして、エアークリーナ７０に導入された圧縮空気を通孔８２からクリーナエレメント収納容器８０内に導入し、これを通気スペース９６に配置した集気シリンダ４９に導いて、貫通孔５０を移動し、収納袋８３を経てクリーナエレメント８４を移動させるようにしている。
【００９８】
このようにすることで、前述のように圧縮空気中の水分を凝縮し凝結水分を通孔８２から落下し、筒状容器９４の底部に滞留して圧縮空気を除湿し乾燥する。
この後、除湿し乾燥した圧縮空気をクリーナエレメント８４に移動し、圧縮空気のオイルミスト等の夾雑物を除去する。
したがって、湿気によるクリーナエレメント８４の捕集機能の低下を抑制し、寿命の向上を図って、長期に亘る使用を確保し得る。
それゆえ、前記構成を他のエアークリーナ７１，７２に適用すれば、各クリーナエレメント８５，８６の機能低下を抑制し、それらのクリーナ機能が増進し、その長期に亘る使用を確保し得る。
【００９９】
図２０は本発明の第４の実施形態を示し、この実施形態は凝結器４とエアードライヤ５、エアークリーナ７０〜７２を、連結片８と接続導管１０を介し横一列にコンパクトに配置する代わりに、これらを垂直若しくは斜状に配置した管材または板体等の支持部材９２に設置し、この実施形態では支持部材９２として垂直の管材を使用し、設置スペースのコンパクト化を図るとともに、支持部材９２の内部に配置することによって安全に保護し、室外設置の安全性を確保するようにしている。
この場合、凝結器４とエアードライヤ５、エアークリーナ７０〜７２の各ヘッドカバー１１，２９，７３は、支持部材９２にビス止めして置くことが望ましい。
【０１００】
図中、９３，９４は支持部材９２の上下端部を閉塞するキャップで、下側のキャップ９４に複数の通孔９５が設けられ、これらの通孔９５に凝結器４の排出管５８と、エアードライヤ５の排出管６７の中間部が挿入されて配管されている。この実施形態では若干長めで略Ｕ字形の接続導管１０，８６を要する以外は、前述の実施形態と実質的に同一である
【０１０１】
このようにこの実施形態は、一つの支持部材９２に凝結器４とエアードライヤ５、エアークリーナ７０〜７２を配置しているから、それらの設置スペースがコンパクトになり、またこれらを例えば軸方向に分割した二つ割り構造の支持ピースを接合して管状の支持部材９２、すなわち二つ割りの支持ピースを接合して管状に構成する支持部材９２に配置すれば、凝結器４やエアードライヤ５、エアークリーナ７０〜７２の組み付けおよび取外しを、簡便で安全かつ合理的に行なうことができ、またそれらのメンテナンスを簡便に行える。
【産業上の利用可能性】
【０１０２】
本発明の圧縮空気の気液分離装置は、圧縮空気中の水分を簡単な構成によって能率良く高精度に除去するとともに、その下流側に一または複数のエアークリーナを配置し、清浄で乾燥状態の圧縮空気をエアーツールへ供給し、また使用によって各エアークリーナの機能が低下した際、エアークリーナエレメントを簡便に交換可能にして所期の機能を速やかに回復し、そのメンテナンス作業を簡便に行なえるから、例えばエアーコンプレッサ等から供給されるエアータンク内の圧縮空気をエアーツールへ供給する際に好適である。
【符号の説明】
【０１０３】
３，６      供給管路（幹線導管）
４          凝結器
５          エアードライヤ
７          エアーツール
８          連結片
８ａ        屈曲片
１０，８６  接続導管
１１，２９  ヘッドカバー
１２，３０  筒状容器
１３，３１  容器カバー
【０１０４】
１４        凝結シリンダ
１５，３３  インレット
１６，３４  アウトレット
２５，４３  開口部
２６，４４  空隙部
３２        凝縮シリンダ
３８        ドレン（凝縮水）
４９        集気シリンダ
５０        貫通孔
５３        ドレン水（凝縮水）
【０１０５】
５７        壁面
７０〜７２  エアークリーナ
７３        ヘッドカバー
７６        ドレン
７７        インレット
７８        アウトレット
８０        クリーナエレメント収納容器
８３        収納袋
８４        クリーナエレメント（オイルミスト除去部材）
８５        クリーナエレメント（乾燥・除湿部材）
【０１０６】
８６        クリーナエレメント（不純物除去部材）
８９        開口部
９０        空隙部
９２        支持部材
９３，９４  キャップ
９６        通気スペース
【図１】
2019000832.tif 000003
【図２】
2019000832.tif 000004
【図３】
2019000832.tif 000005
【図４】
2019000832.tif 000006
【図５】
2019000832.tif 000007
【図６】
2019000832.tif 000008
【図７】
2019000832.tif 000009
【図８】
2019000832.tif 000010
【図９】
2019000832.tif 000011
【図１０】
2019000832.tif 000012
【図１１】
2019000832.tif 000013
【図１２】
2019000832.tif 000014
【図１３】
2019000832.tif 000015
【図１４】
2019000832.tif 000016
【図１５】
2019000832.tif 000017
【図１６】
2019000832.tif 000018
【図１７】
2019000832.tif 000019
【図１８】
2019000832.tif 000020
【図１９】
2019000832.tif 000021
【図２０】
2019000832.tif 000022
【手続補正書】
【提出日】平成30年1月17日(2018.1.17)
【手続補正１】
【補正対象書類名】明細書
【補正対象項目名】００１８
【補正方法】変更
【補正の内容】
【００１８】
請求項１の発明は、圧縮空気の供給管路にエアードライヤを配置し、清浄で乾燥した圧縮空気をエアーツールへ供給可能にした圧縮空気の気液分離装置において、前記エアードライヤより上流側に圧縮空気を凝縮可能な凝結器を配置し、圧縮空気中の水分を効率良く凝縮かつ凝結して除湿ないし乾燥するようにしている。
請求項２の発明は、凝結器は、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝結シリンダと、前記筒状容器の外側に空隙部を介して前記ヘッドカバーに上端部を連結した中空有底の筒状の容器カバーとを備え、従来のエアードライヤよりも簡単な構成にして圧縮空気の流路面積を拡大し、大量の圧縮空気を円滑に移動し含有水分を効率良く凝縮させて凝結作用を促し、圧縮空気から多量の凝縮水を除去し、効率良く凝縮かつ凝結して除湿ないし乾燥した圧縮空気を得られるとともに、筒状容器を容器カバ−で保護し、筒状容器の破損による破片の飛散を防止し、また外部からの機械的な攻撃に耐えられるようにしている
【手続補正２】
【補正対象書類名】明細書
【補正対象項目名】００３０
【補正方法】変更
【補正の内容】
【００３０】
請求項１の発明は、エアードライヤより上流側に圧縮空気を凝縮可能な凝結器を配置したから、圧縮空気中の水分を効率良く凝縮かつ凝結して除湿ないし乾燥することができる  請求項２の発明は、凝結器は、圧縮空気の供給管路に連通しインレットとアウトレットを備えたヘッドカバーと、該ヘッドカバーに上部を連結した中空有底の筒状容器と、該筒状容器の内側に配置し上部を前記ヘッドカバーに連通可能に連結した中空筒状の凝結シリンダと、前記筒状容器の外側に空隙部を介して前記ヘッドカバーに上端部を連結した中空有底の筒状の容器カバーとを備えたから、従来のエアードライヤよりも簡単な構成で圧縮空気の流路面積を拡大し、大量の圧縮空気を円滑に移動し含有水分を効率良く凝縮させて凝結作用を促し、圧縮空気から多量の凝縮水を除去し、効率良く凝縮かつ凝結して除湿ないし乾燥した圧縮空気を得られるとともに、筒状容器を容器カバーで保護し、筒状容器の破損による破片の飛散を防止し、また外部からの機械的な攻撃に耐えられる効果がある。
【手続補正３】
【補正対象書類名】特許請求の範囲
【補正対象項目名】請求項１
【補正方法】変更
【補正の内容】
【請求項１】
圧縮空気の供給管路にエアードライヤを配置し、清浄で乾燥した圧縮空気をエアーツールへ供給可能にした圧縮空気の気液分離装置において、前記エアードライヤより上流側に圧縮空気を凝縮可能な凝結器を配置したことを特徴とする圧縮空気の気液分離装置。
【手続補正書】
【提出日】平成30年8月10日(2018.8.10)
【手続補正１】
【補正対象書類名】明細書
【補正対象項目名】００１８
【補正方法】変更
【補正の内容】
【００１８】
請求項１の発明は、清浄で乾燥した圧縮空気をエアーツールへ供給する供給管路にエアードライヤを配置し、該エアードライヤより上流側に気液を分離可能な凝結器を配置し、前記エアードライヤは、ドレン水を収容可能な有底筒状の筒状容器と、該筒状容器の上側開口部に装着したヘッドカバーと、該筒状容器内の上部に配置した中空の凝縮シリンダと、該筒状容器内の下部に配置したドレンと、からなり、前記ヘッドカバーの内部に供給管路に連通するインレットとアウトレットを設け、該インレットとアウトレットの空気通路に前記凝縮シリンダを介挿し、該凝縮シリンダ内の上部に複数の集気シリンダを配置し、該集気シリンダに小孔状の貫通孔を形成し、圧縮空気を断熱膨張可能にした圧縮空気の気液分離装置において、前記筒状容器を透明部材で構成し、該筒状容器の外側に空隙部を介して有底筒状の容器カバーを配置し、該容器カバーの周面に複数の開口部を形成し、該開口部から筒状容器を透視可能にし、筒状容器の内部状況やドレン水の貯留状況を視認でき、また空隙部によって筒状容器の温度上昇を防止し、更に筒状容器を容器カバーで保護して機械的な強度を補強するとともに、筒状容器の破裂に伴う容器破片の飛散を防止するようにしている。
【手続補正２】
【補正対象書類名】明細書
【補正対象項目名】００１９
【補正方法】変更
【補正の内容】
【００１９】
請求項２の発明は、凝結器をエアードライヤより上流側の近接位置に配置し、該凝結器を、ドレン水を収容可能な有底筒状の筒状容器と、該筒状容器の外側に配置した有底筒状の容器カバーと、前記筒状容器と容器カバーの上側に装着したヘッドカバーと、筒状容器内の下部に配置したオートドレンと、ヘッドカバーに配置した供給管路に連通するインレットとアウトレットと、で構成し、前記筒状容器内の上部に中空筒状の凝結シリンダを配置し、該凝結シリンダ内の上面に圧縮空気を直接衝突可能に設けるとともに、前記筒状容器を透明部材で構成し、該筒状容器の外側に空隙部を介して前記容器カバーを配置し、該容器カバーの周面に複数の開口部を形成し、該開口部から筒状容器を透視可能にし、凝結シリンダ内の上面に圧縮空気を直接衝突可能に設けて、圧縮空気中の水蒸気を大量かつ勢い良く衝突させて凝縮可能にし、水蒸気を効率良く除去するとともに、開口部によって筒状容器の内部を外部から透視可能にし、筒状容器の内部状況やドレン水の貯留状況を視認でき、また空隙部によって筒状容器の温度上昇を防止し、更に筒状容器を容器カバーで保護して機械的な強度を補強するとともに、筒状容器の破裂に伴う容器破片の飛散を防止するようにしている。
【手続補正３】
【補正対象書類名】明細書
【補正対象項目名】００２０
【補正方法】変更
【補正の内容】
【００２０】
請求項３の発明は、エアードライヤと凝結器の筒状容器と容器カバーを互いに同一に形成し、筒状容器と容器カバーを共用し、それらを合理的かつ安価に製作し得るようにしている。
請求項４の発明は、エアードライヤと凝結器の各ヘッドカバーの上端部を平坦面に形成し、これらの平坦面に断面Ｌ字形またはＵ字形の連結片を掛け渡して固定し、エアードライヤと凝結器とを近接して配置し、連結片の屈曲片を壁面に取付け可能にし、エアードライヤと凝結器の取付けを合理的に配置して壁面に取付けるようにしている。
【手続補正４】
【補正対象書類名】明細書
【補正対象項目名】００２１
【補正方法】変更
【補正の内容】
【００２１】
請求項５の発明は、エアードライヤとエアーツールとの間に前記エアードライヤと同形の１または複数のエアークリーナを配置し、各エアークリーナはドレン水を収容可能な有底筒状の筒状容器と、該筒状容器の外側に配置する有底筒状の容器カバ−と、前記筒状容器と容器カバーの上側開口部に装着したヘッドカバーと、前記筒状容器内に配置したクリーナエレメント収納容器と、前記筒状容器の底部に配置した簡易ドレンと、からなり、前記ヘッドカバ−の内部に供給管路に連通するインレットとアウトレットを設け、該インレットとアウトレットの空気通路に前記クリーナエレメント収納容器を介挿し、該収納容器の底部に複数の通孔を形成するとともに、前記クリーナエレメント収納容器内にエアークリーナエレメントを収納可能な通気性を有する柔軟な透明の収納袋を収容し、前記通孔を介して圧縮空気をクリーナエレメント収納容器内を移動可能に設けるとともに、前記筒状容器の外側に空隙部を介して前記容器カバーを配置し、エアークリーナの各部品を共通し、合理的かつ安価に製作するとともに、その共通部品によって合理的に組み立てられるようにし、しかもクリーナエレメント収納容器の内部を視認可能にして、その汚損度やクリーナの使用状況を視認可能にしている。
【手続補正５】
【補正対象書類名】明細書
【補正対象項目名】００２２
【補正方法】変更
【補正の内容】
【００２２】
請求項６の発明は、各エアークリーナの容器カバーの周面に複数の開口部を形成し、該開口部から筒状容器を透視可能にし、筒状容器内を外側から視認可能にするとともに、開口部を空隙部に連通させて通気可能にし、筒状容器の温度上昇を防止するようにしている
請求項７の発明は、各エアークリーナのヘッドカバー、筒状容器と容器カバーを、前記エアードライヤのそれらと同一に形成し、各部品を共通化して合理的かつ安価に製作するようにしている。
【手続補正６】
【補正対象書類名】明細書
【補正対象項目名】００２３
【補正方法】変更
【補正の内容】
【００２３】
請求項８の発明は、各エアークリーナのヘッドカバーの上端部を平坦面に形成し、該平坦面に前記連結片の延設部を掛け渡して固定し、各エアークリーナと前記凝結器とエアードライヤとを横一列に配置し、前記連結片の屈曲片を壁面に取付け可能にし、各エアークリーナとエアードライヤと凝結器を合理的に配置し、それらを壁面に容易に取付けるようにしている。
請求項９の発明は、管状または板状の支持部材を垂直または斜状に配置し、該支持部材に前記供給管路を配管し、該供給管路に凝結器とエアードライヤ、および一または複数のエアークリーナを配置し、連結片の代わりに、支持部材に供給管路や凝結器、エアードライヤ、一または複数のエアークリーナを一体に組み付けるようにしている。
【手続補正７】
【補正対象書類名】明細書
【補正対象項目名】００２４
【補正方法】変更
【補正の内容】
【００２４】
請求項１０の発明は、支持部材を管状に構成し、その上下端部をキャップを介して閉塞し、該支持部材を屋内外に設置可能にし、支持部材の内部に供給管路や凝結器、エアードライヤを収容して、これらを保護するようにしている。
請求項１１の発明は、支持部材を軸方向に二つ割りした一対の支持ピースを接合して構成し、支持部材の製作の容易化を図るとともに、支持部材内への供給管路や凝結器、エアードライヤ等の組み付けを容易に行なうようにしている。
請求項１２の発明は、凝結器とエアードライヤ、エアークリーナの各ヘッドカバーを支持部材に固定し、支持部材に対する凝結器とエアードライヤ、エアークリーナ等の取付けないし取り外しを容易に行ない、メンテナンス作業を容易に行なえるようにしている。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】変更
【補正の内容】
【００３０】
請求項１の発明は、筒状容器を透明部材で構成し、該筒状容器の外側に空隙部を介して有底筒状の容器カバーを配置し、該容器カバーの周面に複数の開口部を形成し、該開口部から筒状容器を透視可能にしたから、筒状容器の内部状況やドレン水の貯留状況を視認でき、また空隙部によって筒状容器の温度上昇を防止し、更に筒状容器を容器カバーで保護して機械的な強度を補強するとともに、筒状容器の破裂に伴う容器破片の飛散を防止することができる。
請求項２の発明は、凝結器をエアードライヤより上流側の近接位置に配置し、該凝結器を、ドレン水を収容可能な有底筒状の筒状容器と、該筒状容器の外側に配置した有底筒状の容器カバーと、前記筒状容器と容器カバーの上側に装着したヘッドカバーと、筒状容器内の下部に配置したオートドレンと、ヘッドカバーに配置した供給管路に連通するインレットとアウトレットと、で構成し、前記筒状容器内の上部に中空筒状の凝結シリンダを配置し、該凝結シリンダ内の上面に圧縮空気を直接衝突可能に設けるとともに、前記筒状容器を透明部材で構成し、該筒状容器の外側に空隙部を介して前記容器カバーを配置し、該容器カバーの周面に複数の開口部を形成し、該開口部から筒状容器を透視可能にしたから、凝結シリンダ内の上面に圧縮空気を直接衝突可能に設けて、圧縮空気中の水蒸気を大量かつ勢い良く衝突させて凝縮可能にし、水蒸気を効率良く除去するとともに、開口部によって筒状容器の内部を外部から透視可能にし、筒状容器の内部状況やドレン水の貯留状況を視認でき、また空隙部によって筒状容器の温度上昇を防止し、更に筒状容器を容器カバ−で保護して機械的な強度を補強するとともに、筒状容器の破裂に伴う容器破片の飛散を防止することができる。
【手続補正１４】
【補正対象書類名】明細書
【補正対象項目名】００３１
【補正方法】変更
【補正の内容】
【００３１】
請求項３の発明は、エアードライヤと凝結器の筒状容器と容器カバーを互いに同一に形成したから、筒状容器と容器カバーを共用し、それらを合理的かつ安価に製作することができる。
請求項４の発明は、エアードライヤと凝結器の各ヘッドカバーの上端部を平坦面に形成し、これらの平坦面に断面Ｌ字形またはＵ字形の連結片を掛け渡して固定し、エアードライヤと凝結器とを近接して配置し、連結片の屈曲片を壁面に取付け可能にしたから、エアードライヤと凝結器の取付けを合理的に配置して壁面に取付けることができる。
【手続補正１５】
【補正対象書類名】明細書
【補正対象項目名】００３２
【補正方法】変更
【補正の内容】
【００３２】
請求項５の発明は、エアードライヤとエアーツールとの間に前記エアードライヤと同形の１または複数のエアークリーナを配置し、各エアークリーナはドレン水を収容可能な有底筒状の筒状容器と、該筒状容器の外側に配置する有底筒状の容器カバ−と、前記筒状容器と容器カバ−の上側開口部に装着したヘッドカバ−と、前記筒状容器内に配置したクリ−ナエレメント収納容器と、前記筒状容器の底部に配置した簡易ドレンと、からなり、前記ヘッドカバ−の内部に供給管路に連通するインレットとアウトレットを設け、該インレットとアウトレットの空気通路に前記クリ−ナエレメント収納容器を介挿し、該収納容器の底部に複数の通孔を形成するとともに、前記クリーナエレメント収納容器内にエアークリーナエレメントを収納可能な通気性を有する柔軟な透明の収納袋を収容し、前記通孔を介して圧縮空気をクリーナエレメント収納容器内を移動可能に設けるとともに、前記筒状容器の外側に空隙部を介して前記容器カバーを配置したから、エアークリーナの各部品を共通し、合理的かつ安価に製作するとともに、その共通部品によって合理的に組み立てられるようにし、しかもクリ−ナエレメント収納容器の内部を視認可能にして、その汚損度やクリーナの使用状況を視認することができる。
【手続補正１６】
【補正対象書類名】明細書
【補正対象項目名】００３３
【補正方法】変更
【補正の内容】
【００３３】
請求項６の発明は、各エアークリーナの容器カバーの周面に複数の開口部を形成し、該開口部から筒状容器を透視可能にしたから, 筒状容器内を外側から視認可能にするとともに、開口部を空隙部に連通させて通気可能にし、筒状容器の温度上昇を防止することができる。
請求項７の発明は、各エアークリーナのヘッドカバー、筒状容器と容器カバーを、前記エアードライヤのそれらと同一に形成したから、各部品を共通化して合理的かつ安価に製作することができる。
【手続補正１７】
【補正対象書類名】明細書
【補正対象項目名】００３４
【補正方法】変更
【補正の内容】
【００３４】
請求項８の発明は、各エアークリーナのヘッドカバ−の上端部を平坦面に形成し、該平坦面に前記連結片の延設部を掛け渡して固定し、各エアークリーナと前記凝結器とエアードライヤとを横一列に配置し、前記連結片の屈曲片を壁面に取付け可能にしたから、各エアークリーナとエア−ドライヤと凝結器を合理的に配置し、それらを壁面に容易に取付けることができる。
請求項９の発明は、管状または板状の支持部材を垂直または斜状に配置し、該支持部材に前記供給管路を配管し、該供給管路に凝結器とエアードライヤ、および一または複数のエアークリーナを配置したから、連結片の代わりに、支持部材に供給管路や凝結器、エアードライヤ、一または複数のエアークリーナを一体に設置し、横並びの代わりに設置スペ−スをコンパクトにすることができる。
【手続補正１８】
【補正対象書類名】明細書
【補正対象項目名】００３５
【補正方法】変更
【補正の内容】
【００３５】
請求項１０の発明は、支持部材を管状に構成し、その上下端部をキャップを介して閉塞し、該支持部材を屋内外に設置可能にしたから、支持部材の内部に供給管路や凝結器、エアードライヤを収容して、これらを保護することができる。
請求項１１の発明は、支持部材を軸方向に二つ割りした一対の支持ピースを接合して構成したから、支持部材の製作の容易化を図れるとともに、支持部材内への供給管路や凝結器、エアードライヤの組み付けを容易に行なうことができる。
請求項１２の発明は、凝結器とエアードライヤ、エアークリーナの各ヘッドカバーを支持部材に固定したから、支持部材に対する凝結器とエアードライヤ、エアークリーナ等の取付けないし取り外しを容易に行なえ、メンテナンス作業を容易に行なうことができる。
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４５
【補正方法】変更
【補正の内容】
【００４５】
【図１６】図１４の平面図で、凝結器を省略している。
【図１７】図１４の底面図で、凝結器を省略している。
【図１８】図１４のＪ−Ｊ線に沿う断面図で、凝結器を省略している。
【図１９】本発明の第２の実施形態の応用形態の要部を示す断面図で、オイルミスト除去用のエアークリーナに適用した状態を示している。
【図２０】本発明の第３の実施形態を示す断面図で、凝結器とエアードライヤと３個のエアークリーナを管状の支持部材内部に配置している。
【手続補正２６】
【補正対象書類名】明細書
【補正対象項目名】００４９
【補正方法】変更
【補正の内容】
【００４９】
前記ヘッドカバー１１は図２のように、上部を略八角柱状に形成され、その相対する一対の側壁にインレット１５とアウトレット１６を形成し、それらのネジ孔に前記幹線導管３，６と接続導管１０を接続している。
前記ヘッドカバー１１の下端部に正方形板状のフランジ１１ａが突設され、このフランジ１１ａに容器カバー１３の上端部が接続されている。
【手続補正２７】
【補正対象書類名】明細書
【補正対象項目名】００８７
【補正方法】変更
【補正の内容】
【００８７】
この他、図中、８７は各インレット７７とアウトレット７８を連結する前記接続導管１０と同様な接続導管、８８は容器カバー７５の底部に形成した前記通孔４６と同径の通孔、８９は簡易ドレン７６の螺軸にねじ込んだナットで、各筒状容器７４の底部に簡易ドレン７６の螺軸を立設可能にしている。
図中、９０は各容器カバー７５に形成した開口部で、前記開口部４３と同様に形成され、また各筒状容器７４と容器カバー７５との間に、前記空隙部２６，４４と同様な空隙部９１が形成されている。
【手続補正２８】
【補正対象書類名】明細書
【補正対象項目名】００８８
【補正方法】変更
【補正の内容】
【００８８】
前記連結片８はエアークリーナ７０〜７２の増設分、長尺に延設され、その板面に複数のビス孔が形成され、延設した屈曲片８ａに複数の長孔５１が形成されている。図中、９２は各インレット７７の奥部に形成した通路で、各筒状容器７４の内部上方に連通している。
【手続補正２９】
【補正対象書類名】明細書
【補正対象項目名】００８９
【補正方法】変更
【補正の内容】
【００８９】
このように構成した第２の実施形態では、凝結器４とエアードライヤ５で圧縮空気中の水分を大量かつ精密に除去後、この圧縮空気がエアークリーナ７０に送り込まれ、そのインレット７７から通路９２を経て筒状容器７４内に導入され、その下方へ移動する。
そして、前記圧縮空気はクリーナエレメント収納容器８０の下方へ移動後、その底部から通孔８２に導かれて前記収納容器８０内へ移動し、収納袋８３を通過して内部に収納されたクリーナエレメントであるオイルミスト除去部材８４の間を上動し、圧縮空気に含まれるオイルミストが捕集される。
この後、前記圧縮空気は連結管８１を上動してアウトレット７８へ移動し、接続導管８６を経てエアークリーナ７１へ送り込まれる。
【手続補正３０】
【補正対象書類名】明細書
【補正対象項目名】００９６
【補正方法】変更
【補正の内容】
【００９６】
更に、エアークリーナ７０〜７２の各筒状容器７４の外側に、空隙部９１を介して開口部９０を備えた容器カバー７５を取付け、それらの間に空気を流通させているから、筒状容器７４の冷却を図れ、各クリーナ７０〜７２における気液分離効果を増進できるとともに、筒状容器７４の破損による破片の飛散を防止し得、また外部からの機械的な攻撃に耐えられる。
【手続補正３１】
【補正対象書類名】明細書
【補正対象項目名】００９７
【補正方法】変更
【補正の内容】
【００９７】
図１９は本発明の第２の実施形態の応用形態の要部を示す断面図で、前記エアークリーナ７０〜７２の一部または全部に適用している。
このうち、図１９はその一部のエアークリーナ７０に適用し、そのクリーナエレメント収納容器８０内の下部で収納袋８３の直下に、通孔８２に連通する通気スペース９６を設け、該スペース９６に前記複数の集気シリンダ４９を配置し、該シリンダ４９に貫通孔５０を形成している。
そして、エアークリーナ７０に導入された圧縮空気を通孔８２からクリーナエレメント収納容器８０内に導入し、これを通気スペース９６に配置した集気シリンダ４９に導いて、貫通孔５０を移動し、収納袋８３を経てクリーナエレメント８４を移動させるようにしている。
【手続補正３２】
【補正対象書類名】明細書
【補正対象項目名】００９９
【補正方法】変更
【補正の内容】
【００９９】
図２０は本発明の第３の実施形態を示し、この実施形態は凝結器４とエアードライヤ５、エアークリーナ７０〜７２を、連結片８と接続導管１０を介し横一列にコンパクトに配置する代わりに、これらを垂直若しくは斜状に配置した管材または板体等の支持部材９３に設置し、この実施形態では支持部材９３として垂直の管材を使用し、設置スペースのコンパクト化を図るとともに、支持部材９３の内部に配置することによって安全に保護し、室外設置の安全性を確保するようにしている。
この場合、凝結器４とエアードライヤ５、エアークリーナ７０〜７２の各ヘッドカバー１１，２９，７３は、支持部材９３にビス止めして置くことが望ましい。
【手続補正３３】
【補正対象書類名】明細書
【補正対象項目名】０１００
【補正方法】変更
【補正の内容】
【０１００】
図中、９４，９５は支持部材９３の上下端部を閉塞するキャップで、下側のキャップ９４に複数の通孔９６が設けられ、これらの通孔９６に凝結器４の排出管５８と、エアードライヤ５の排出管６７の中間部が挿入されて配管されている。この実施形態では若干長めで略Ｕ字形の接続導管１０，８６を要する以外は、前述の実施形態と実質的に同一である
【手続補正３４】
【補正対象書類名】明細書
【補正対象項目名】０１０１
【補正方法】変更
【補正の内容】
【０１０１】
このようにこの実施形態は、一つの支持部材９３に凝結器４とエアードライヤ５、エアークリーナ７０〜７２を配置しているから、それらの設置スペースがコンパクトになり、またこれらを例えば軸方向に分割した二つ割り構造の支持ピースを接合して管状の支持部材９３、すなわち二つ割りの支持ピースを接合して管状に構成する支持部材９３に配置すれば、凝結器４やエアードライヤ５、エアークリーナ７０〜７２の組み付けおよび取外しを、簡便で安全かつ合理的に行なうことができ、またそれらのメンテナンスを簡便に行える。
【手続補正３５】
【補正対象書類名】特許請求の範囲
【補正対象項目名】全文
【補正方法】変更
【補正の内容】
【特許請求の範囲】
【請求項１】
清浄で乾燥した圧縮空気をエア−ツールへ供給する供給管路にエアードライヤを配置し、該エアードライヤより上流側に気液を分離可能な凝結器を配置し、該エアードライヤは、ドレン水を収容可能な有底筒状の筒状容器と、該筒状容器の上側開口部に装着したヘッドカバ−と、該筒状容器内の上部に配置した中空の凝縮シリンダと、該筒状容器内の下部に配置したドレン器と、からなり、前記ヘッドカバ−の内部に供給管路に連通するインレットとアウトレットを設け、該インレットとアウトレットの空気通路に前記凝縮シリンダを介挿し、該凝縮シリンダ内の上部に複数の集気シリンダを配置し、該集気シリンダに小孔状の貫通孔を形成し、圧縮空気を断熱膨張可能にした圧縮空気の気液分離装置において、前記筒状容器を透明部材で構成し、該筒状容器の外側に空隙部を介して有底筒状の容器カバ−を配置し、該容器カバ−の周面に複数の開口部を形成し、該開口部から筒状容器を透視可能にしたことを特徴とする圧縮空気の気液分離装置。
【請求項２】
前記凝結器を前記エアードライヤより上流側の近接位置に配置し、該凝結器を、ドレン水を収容可能な有底筒状の筒状容器と、該筒状容器の外側に配置した有底筒状の容器カバ−と、前記筒状容器と容器カバ−の上側に装着したヘッドカバ−と、筒状容器内の下部に配置したオートドレンと、ヘッドカバ−に配置した供給管路に連通するインレットとアウトレットと、で構成し、前記筒状容器内の上部に中空筒状の凝結シリンダを配置し、該凝結シリンダ内の上面に圧縮空気を直接衝突可能に設けるとともに、前記筒状容器を透明部材で構成し、該筒状容器の外側に空隙部を介して前記容器カバ−を配置し、該容器カバ−の周面に複数の開口部を形成し、該開口部から筒状容器を透視可能にした請求項１記載の圧縮空気の気液分離装置。
【請求項３】
前記エアードライヤと凝結器の筒状容器と容器カバーを互いに同一に形成した請求項２記載の圧縮空気の気液分離装置。
【請求項４】
前記エアードライヤと凝結器の各ヘッドカバ−の上端部を平坦面に形成し、これらの平坦面に断面Ｌ字形またはＵ字形の連結片を掛け渡して固定し、エアードライヤと凝結器とを近接して配置し、連結片の屈曲片を壁面に取付け可能にした請求項２記載の圧縮空気の気液分離装置。
【請求項５】
前記エアードライヤとエアーツールとの間に前記エアードライヤと同形の１または複数のエアークリーナを配置し、各エアークリーナはドレン水を収容可能な有底筒状の筒状容器と、該筒状容器の外側に配置する有底筒状の容器カバ−と、前記筒状容器と容器カバ−の上側開口部に装着したヘッドカバ−と、前記筒状容器内に配置したクリ−ナエレメント収納容器と、前記筒状容器の底部に配置した簡易ドレンと、からなり、前記ヘッドカバ−の内部に供給管路に連通するインレットとアウトレットを配置し、該インレットとアウトレットの空気通路に前記クリ−ナエレメント収納容器を配置し、該収納容器の底部に複数の通孔を形成し、該通孔を介して圧縮空気をクリ−ナエレメント収納容器内に移動可能に設け、前記筒状容器の外側に空隙部を介して前記容器カバ−を配置した請求項１記載の圧縮空気の気液分離装置。
【請求項６】
前記各エアークリーナの容器カバ−の周面に複数の開口部を形成し、該開口部から筒状容器を透視可能にした請求項５記載の圧縮空気の気液分離装置。
【請求項７】
各エアークリーナのヘッドカバー、筒状容器と容器カバーを、前記エアードライヤのそれらと同一に形成した請求項５記載の圧縮空気の気液分離装置。
【請求項８】
各エアークリーナのヘッドカバ−の上端部を平坦面に形成し、該平坦面に前記連結片の延設部を掛け渡して固定し、各エアークリーナと前記凝結器とエアードライヤとを横一列に配置し、前記連結片の屈曲片を壁面に取付け可能にした請求項５記載の圧縮空気の気液分離装置。
【請求項９】
管状または板状の支持部材を垂直または斜状に配置し、該支持部材に前記供給管路を配管し、該供給管路に凝結器とエアードライヤ、および一または複数のエアークリーナを配置した請求項５記載の圧縮空気の気液分離装置。
【請求項１０】
前記支持部材を管状に構成し、その上下端部をキャップを介して閉塞し、該支持部材を屋内外に設置可能にした請求項９記載の圧縮空気の気液分離装置。
【請求項１１】
前記支持部材を軸方向に二つ割りした一対の支持ピースを接合して構成した請求項１０記載の圧縮空気の気液分離装置。
【請求項１２】
前記凝結器とエアードライヤ、エアークリーナの各ヘッドカバ−を支持部材に固定した請求項９記載の圧縮空気の気液分離装置。
【手続補正３６】
【補正対象書類名】図面
【補正対象項目名】図１４
【補正方法】変更
【補正の内容】
【図１４】
2019000832.tif 000023
【手続補正３７】
【補正対象書類名】図面
【補正対象項目名】図１５
【補正方法】変更
【補正の内容】
【図１５】
2019000832.tif 000024
【手続補正３８】
【補正対象書類名】図面
【補正対象項目名】図１６
【補正方法】変更
【補正の内容】
【図１６】
2019000832.tif 000025
【手続補正３９】
【補正対象書類名】図面
【補正対象項目名】図１７
【補正方法】変更
【補正の内容】
【図１７】
2019000832.tif 000026
【手続補正４０】
【補正対象書類名】図面
【補正対象項目名】図１８
【補正方法】変更
【補正の内容】
【図１８】
2019000832.tif 000027
【手続補正４１】
【補正対象書類名】図面
【補正対象項目名】図１９
【補正方法】変更
【補正の内容】
【図１９】
2019000832.tif 000028
【手続補正４２】
【補正対象書類名】図面
【補正対象項目名】図２０
【補正方法】変更
【補正の内容】
【図２０】
2019000832.tif 000029